(57)【要約】      （修正有）【課題】快適に使用できる足枕を提供する。【解決手段】当該足枕は、横方向に延びる１本の横棒部５及びこの横棒部５の両端から上方に平行に延びる２本の縦棒部６をそれぞれ有する一対の脚部材１，２と、２本の縦棒部６の上端間に横方向に延び、一対の脚部材１，２を横棒部５に平行な軸周りに揺動可能に保持する梁部材３と、梁部材３に横方向に移動可能に取り付けられ、ユーザーの足が載置される支持部材４とを備える。【選択図】図１
0003219001.tif 000002
【実用新案登録請求の範囲】
【請求項１】
横方向に延びる１本の横棒部及びこの横棒部の両端から上方に平行に延びる２本の縦棒部をそれぞれ有する一対の脚部材と、
上記２本の縦棒部の上端間に横方向に延び、上記一対の脚部材を上記横棒部に平行な軸周りに揺動可能に保持する梁部材と、
上記梁部材に横方向に移動可能に取り付けられ、ユーザーの足が載置される支持部材と
を備える足枕。
【請求項２】
上記支持部材が、上記梁部材に摺動可能に装着される摺動体と、この摺動体に設けられ、ユーザーの足が載置される座体とを有する請求項１に記載の足枕。
【請求項３】
上記摺動体が、上記梁部材の周りに回転可能である請求項２に記載の足枕。
【請求項４】
上記支持部材が、上記梁部材から垂下される一対の吊り具と、この吊り具に両端が保持され、ユーザーの足が載置される座体とを有する請求項１に記載の足枕。
【請求項５】
上記一対の脚部材が、上記２本の縦棒部の上端間を接続する軸部をそれぞれ有し、
上記梁部材が、それぞれ上記軸部が挿入される一対の保持穴を有する請求項１から請求項４のいずれか１項に記載の足枕。
【考案の詳細な説明】
【技術分野】
【０００１】
本考案は、足枕に関する。
【背景技術】
【０００２】
ベッド等で横になる際に足を高くすることで、足（脚を含む）に滞留している血液やリンパ液を胴体に戻して足の疲労回復やむくみ解消が期待される。このため、足を載せる足枕をマットレスや敷布団の上に置いて就寝している人がいる。
【０００３】
就寝時の快適性を向上するために、足枕に足を冷却する機能を持たせることが提案されている。例えば特開２００６−７５３４３号公報には、足枕を熱容量が大きい金属、陶器等で形成することにより、足枕に足の熱を逃がすことができるようにすることが提案されている。
【０００４】
一般に、就寝時には足の上に掛布団が掛けられる。上記公報に記載されるように金属や陶器で形成した足枕は通気性に劣るため、このような足枕を使用すると足が蒸れやすくなる。また、起床から就寝までの間、足枕を置いたままにしておくとマットレスや布団に湿気が溜まり、衛生上好ましくない状態となる場合がある。さらに、上記公報に記載の足枕は、ユーザーが足を載せている部分の温度が上昇してから足を左右横方向に移動させると足が冷たい部分に触れるため、温度変化により快眠を妨げられるおそれがある。
【先行技術文献】
【特許文献】
【０００５】
【特許文献１】特開２００６−７５３４３号公報
【考案の概要】
【考案が解決しようとする課題】
【０００６】
上記不都合に鑑みて、本考案は、快適に使用できる足枕を提供することを課題とする。
【課題を解決するための手段】
【０００７】
上記課題を解決するためになされた本考案の一態様に係る足枕は、横方向に延びる１本の横棒部及びこの横棒部の両端から上方に平行に延びる２本の縦棒部をそれぞれ有する一対の脚部材と、上記２本の縦棒部の上端間に横方向に延び、上記一対の脚部材を上記横棒部に平行な軸周りに揺動可能に保持する梁部材と、上記梁部材に横方向に移動可能に取り付けられ、ユーザーの足が載置される支持部材とを備える。
【０００８】
当該足枕は、上記一対の脚部材の下端間の距離つまり上記横棒部の間隔を調節することで上記一対の脚部材により上記支持部材をマットレスや敷布団から浮かせて任意の高さに支持することができ、且つ上記支持部材が上記梁部材に対して横方向に移動可能に取り付けられているのでユーザーが上記支持部材に載せた足を上記支持部材ごと横方向に違和感なく移動させることができる。当該足枕において、横方向に延在する上記支持部材は、掛布団を全幅に亘って浮かせてマットレスや敷布団と掛布団との間に側方が開放された空間を形成することで足の周囲の空気を換気して足が蒸れることを防止できる。また、当該足枕は、起床後再度就寝するまでの間も、マットレスや式布団と掛布団との間の空気を換気することで、布団の乾燥を促進する。さらに、当該足枕は、布団等との接触面積が小さいため、布団等に湿気が籠もることを防止することができるので、就寝時の蒸れ防止促進効果及び非就寝時の布団乾燥促進効果が大きい。このように、当該足枕は、足を違和感なく横方向に移動させることができるとともに、足が蒸れることを防止できるので快適に使用することができる。
【０００９】
上記支持部材が、上記梁部材に摺動可能に装着される摺動体と、この摺動体に設けられ、ユーザーの足が載置される座体とを有してもよい。この構成によれば、当該足枕は、比較的構成が簡単で安価でありながら、足をスムーズに横方向に移動させることができるとともに、足を載せやすいものとできる。
【００１０】
上記摺動体が、上記梁部材の周りに回転可能であってもよい。この構成によれば、上記座体の角度をユーザーの足の角度に合わせて調節することができるので、快適性がより向上する。
【００１１】
上記支持部材が、上記梁部材から垂下される一対の吊り具と、この吊り具に両端が保持され、ユーザーの足が載置される座体とを有してもよい。この構成によれば、上記梁部材の位置がより高くなることで換気効果が向上するとともに、座体が重力で元の位置に戻るため、足を適切な位置に保持することができる。
【００１２】
上記一対の脚部材が、上記２本の縦棒部の上端間を接続する軸部をそれぞれ有し、上記梁部材が、それぞれ上記軸部が挿入される一対の保持穴を有してもよい。この構成によれば、上記脚部材ひいては当該足枕の強度を向上することができる。
【００１３】
なお、本明細書において、「足」とは狭義の足（くるぶしより下の部分）だけでなく、脚部（下腿及び大腿）を含むものとする。
【考案の効果】
【００１４】
上述のように、本考案に係る足枕は、快適に使用することができる。
【図面の簡単な説明】
【００１５】
【図１】本考案の一実施形態の足枕を示す模式的斜視図である。
【図２】図１の足枕の使用状態を示す模式的断面図である。
【図３】本考案の図１とは異なる実施形態の足枕を示す模式的斜視図である。
【図４】本考案の図１及び図３とは異なる実施形態の足枕を示す模式的斜視図である。
【図５】本考案の図１、図３及び図４とは異なる実施形態の足枕を示す模式的斜視図である。
【図６】本考案の図１及び図３乃至図５とは異なる実施形態の足枕を示す模式的斜視図である。
【考案を実施するための形態】
【００１６】
以下、適宜図面を参照しつつ、本考案の実施の形態を詳説する。
【００１７】
［第一実施形態］
図１に、本考案の一実施形態の足枕を示す。当該足枕は、一対の脚部材（第１脚部材１及び第２脚部材２）と、この一対の脚部材１，２の上端を前後方向に揺動可能に保持する梁部材３と、この梁部材３上に移動可能に取り付けられた支持部材４とを備える。
【００１８】
なお、本明細書において、「前後方向」とは、水平方向のうちマットレスや布団の長手方向（ユーザーの頭と足を結ぶ方向）を意味し、「横方向」とは水平方向のうちマットレスや布団の短手方向（ユーザーの左右方向）を意味し、「上下方向」とは寝具に垂直な方向（空間の上下）を意味する。
【００１９】
＜脚部材＞
脚部材１，２は、同一形状の部材であり、横方向に延びるよう配置される１本の横棒部５と、この横棒部５の両端から上方に平行に延びる２本の縦棒部６と、この２本の縦棒部６の上端間を接続するよう横棒部５と平行に延びる軸部７とをそれぞれ有する横長方形枠状に形成することができる。
【００２０】
脚部材１，２の横棒部５、縦棒部６及び軸部７は、例えば棒状、筒状の材料から形成することができ、異形押出材等を用いて形成してもよいが、軽量で強度に優れ、比較的安価な丸パイプを用いて形成することが好ましい。また、脚部材１，２は、横棒部５、縦棒部６及び軸部７の全部又は一部を１本のパイプ又は棒材を折り曲げることによって一体に成形してもよい。
【００２１】
横棒部５、縦棒部６及び軸部７の材質としては、例えばステンレス、鉄、アルミニウム等の金属、例えばＡＢＳ樹脂、フェノール樹脂、アクリル樹脂、ポリアセタール、ポリ塩化ビニル等の樹脂などが挙げられる。また、特に横棒部５の表面には、表面にゴム等の滑り止めを設けてもよい。
【００２２】
（横棒部）
横棒部５は、図２に示すように、マットレス又は敷布団の下に配置される。これにより摩擦力によって横棒部５の位置ずれを防止することができる。また、横棒部５は、２本の縦棒部６をマットレス又は敷き布団の側方に配置できるよう、マットレス又は敷布団の幅と同等又はそれより大きい長さを有するものとされる。
【００２３】
（縦棒部）
縦棒部６は、マットレス又は敷布団の側方で上方に延出し、上端部に梁部材３が取り付けられる。一対の脚部材１，２の横棒部５の間隔を調節することによって、縦棒部６の傾斜角度を調整して、梁部材３及び支持部材４、ひいてはその上に載置される足の高さを任意に設定することができる。
【００２４】
（軸部）
軸部７は、梁部材３に保持され、脚部材１，２の揺動の中心軸を定める。また、軸部７により２本の縦棒部６の上端間が接続されることによって、脚部材１，２の強度が向上し、横棒部５及び縦棒部６の径を小さくすることができる。
【００２５】
＜梁部材＞
梁部材３は、脚部材１，２の２本の縦棒部の上端間に横方向に延び、一対の脚部材１，２を横棒部５に平行な軸周りに揺動可能に保持する。このため、梁部材３は、それぞれ軸部７が挿入される一対の保持穴８を有する。
【００２６】
このような梁部材３としては、図示するように、それぞれ保持穴８を画定する２本のパイプ９と、この２本のパイプ９を並べた状態でその両端部を保持する一対の固定体１０とを有する構成とすることができる。
【００２７】
＜支持部材＞
支持部材４は、梁部材３の２本のパイプ９の外側に摺動可能に装着される摺動体１１と、この摺動体１１に取り付けられ、ユーザーの足が載置される座体１２とを有する構成とすることができる。このように、支持部材４を摺動体１１と座体１２とを接続する構成とすることによって、支持部材４は形状を最適化しながら比較的安価に形成することができる。
【００２８】
（摺動体）
摺動体１１は、座体１２の角度を変えることができるよう、梁部材３の２本のパイプ９の周りに前後方向に回転可能である。つまり、ユーザーは、座体１２に足を載せることによって摺動体１１の角度を定めることができる。
【００２９】
このような摺動体１１としては、円筒状の部材、具体例として梁部材３の２本のパイプ９を挿入することができる大きさの内径を有する短いパイプ等を用いることができる。
【００３０】
（座体）
座体１２は、足を載せる面積を大きくできるよう、板状とすることができる。この座体１２の表面には、クッションを配設してもよい。また、座体１２は、足を横方向に移動したときに支持部材４が追従して梁部材３上を摺動しやすいよう、表面の形状が例えば横方向両側が隆起したものであってもよい。
【００３１】
なお、この座体１２は省略してもよい。この場合、摺動体１１に直接足を載置することになるため、摺動体１１の外径を大きくしたり、摺動体１１の外周にクッションを配設してもよい。
【００３２】
＜利点＞
以上のような構成を有する当該足枕は、一対の脚部材１，２の上端の軸部７が梁部材３によって近接して保持され、脚部材１，２を軸部７を中心に揺動させることで下端の横棒部５間の間隔を任意に変更し、縦棒部６によって支持される梁部材３の高さを任意に調整することができる。これにより梁部材３に取り付けられる支持部材４に載置される足の高さをユーザーの好みに合わせて最適化することができる。この調整は、当該足枕に足を載せた状態で、ユーザーが手で第１脚部材１を動かすことで行い得る。
【００３３】
当該足枕は、一対の枠状の脚部材１，２によって脚部材３及び支持部材４をマットレスや敷布団から浮かせて配置するので、足の下に空間を形成して足が蒸れることを防止できる。特に、当該足枕は、マットレス又は敷布団の幅と同等以上の長さを有する梁部材３を有するので、この梁部材３の上に掛けられる掛布団の側縁がマットレス又は敷布団から浮いた状態となり、掛蒲団の下の空間を外部が開放される。これにより、ユーザーの足の周りの空気が換気され、足の蒸れをより効果的に防止することができる。
【００３４】
さらに、当該足枕は、非就寝時（ユーザーが起きてから寝るまでの間）にも、掛布団をマットレス又は敷布団から浮かせた状態に保持するので、非就寝時における布団等の乾燥を促進して、足の蒸れをさらに確実に防止することができる。
【００３５】
加えて、当該足枕は、足を載せる支持部材４がユーザーの足の移動に合わせて梁部材３上で横方向に移動することができるので、足に触れる部分の感触が変化しない。これにより、当該足枕は、ユーザーに違和感を感じさせにくいため、より快適に使用することができる。
【００３６】
なお、図２では支持部材４にふくらはぎから足首の部分を載せた使用例を図示しているが、当該足枕は、支持部材４に例えば踵、足の裏、膝裏等を載せて使用してもよい。また、当該足枕は、足以外の部位を載せて使用してもよい。例として、当該足枕に腰を載せることでマッサージ効果や腰痛緩和効果を得ることができる。
【００３７】
［第二実施形態］
図３に、本考案の別の実施形態の足枕を示す。当該足枕は、一対の脚部材（第１脚部材１ａ及び第２脚部材２ａ）と、一対の脚部材１ａ，２ａの上端を横方向の軸周りに揺動可能に保持する梁部材３と、この梁部材３に横方向に移動可能に取り付けられた支持部材４とを備える。
【００３８】
図３の足枕の梁部材３及び支持部材４は、図１の足枕の梁部材３及び支持部材４と同様である。このため、図３の足枕について、図１の足枕と同じ構成要素には同じ符号を付して重複する説明を省略する。
【００３９】
＜脚部材＞
本実施形態の足枕における脚部材１ａ，２ａは、横方向に伸縮可能に構成されている。具体的に説明すると、脚部材１ａ，２ａは、横方向に延びるよう配置される伸縮可能な１本の横棒部５ａと、この横棒部５ａの両端から上方に平行に延びる２本の縦棒部６と、この２本の縦棒部６の上端間に横棒部５ａと平行に延び、中央で分割された軸部７ａとをそれぞれ有する。
【００４０】
（横棒部）
横棒部５ａは、同軸に配置される長パイプ１３及び短パイプ１４と、一端が長パイプ１３に挿抜可能に挿入され、他端が短パイプ１４に挿入されて固定された接続軸１５とを有する構成とすることができる。
【００４１】
（軸部）
軸部７ａは、中央で分割され、梁部材３の保持穴８によって同軸に保持される構成とすることができる。
【００４２】
＜利点＞
当該足枕は、マットレス又は敷布団の幅（例えばシングル、ダブル等の寝具のサイズ）に合わせて脚部材１ａ，２ａを伸縮できるので、多様なサイズの寝具に対応して足の疲労回復やむくみ解消をしながら足の蒸れを防止することができる。
【００４３】
［第三実施形態］
図４に、本考案のまた別の実施形態の足枕を示す。当該足枕は、一対の脚部材（第１脚部材１及び第２脚部材２）と、一対の脚部材１，２の上端を横方向の軸周りに揺動可能に保持する梁部材３ｂと、この梁部材３ｂに横方向に移動可能に取り付けられた支持部材４と、梁部材３ｂに横方向の軸周りに回動可能に取り付けられた補助枠１６とを備える。
【００４４】
図４の足枕の脚部材１，２及び支持部材４は、図１の足枕の脚部材１，２及び支持部材４と同様である。このため、図４の足枕について、図１の足枕と同じ構成要素には同じ符号を付して重複する説明を省略する。
【００４５】
＜梁部材＞
本実施形態の足枕における梁部材３ｂは、それぞれ保持穴８を画定する２本のパイプ９と、この２本のパイプ９を補助枠１６を配設するために小さい間隔を空けて並べた状態でその両端部を保持する一対の固定体１０ｂとを有する構成とすることができる。
【００４６】
＜補助枠＞
補助枠１６は、一端が支持部材４の横方向外側で梁部材３ｂに回動可能に取り付けられる一対の側部１７と、この一対の側部の先端間を接続する接続部１８とを有する三方枠状に形成することができる。
【００４７】
この補助枠１６は、側部１７が支持部材４の横方向の移動を阻害せず、接続部１８が支持部材４の回転を阻害しないよう、側部１７の間隔が十分に大きく、側部１７の長さが十分に大きい。
【００４８】
また、補助枠１６は、梁部材３ｂから下方に垂下される状態から、梁部材３ｂから上方に直立する状態を経て、梁部材３ｂから片持ち状態に略前後方向に突出する状態まで回動可能となるよう、回動範囲が部分的に制限されることが好ましい。具体的には、補助枠１６は、側部１７の一端が両端が一方のパイプ９に巻き付けられ、他方のパイプ９に干渉しない範囲で揺動可能とすることができる。つまり、補助枠１６は、他方のパイプ９に側部１７の基端近傍部分が載置されることによって前後方向に突出する状態に保持される。
【００４９】
＜利点＞
当該足枕は、非就寝時に補助枠１６を片持ち状態に突出させた状態とすることによって掛布団のより広い範囲を持ち上げ、マットレス等と掛布団との間の空気の入れ換えをさらに促進して布団をより効率よく乾燥することができる。
【００５０】
［第四実施形態］
図５に、本考案のまた別の実施形態の足枕を示す。当該足枕は、一対の脚部材（第１脚部材１ｃ及び第２脚部材２ｃ）と、一対の脚部材１ｃ，２ｃの上端を横方向の軸周りに揺動可能に保持する梁部材３と、この梁部材３に横方向に移動可能に取り付けられた支持部材４ｃとを備える。
【００５１】
図５の足枕の梁部材３は、図１の足枕の梁部材３と同様である。このため、図５の足枕について、図１の足枕と同じ構成要素には同じ符号を付して重複する説明を省略する。
【００５２】
＜脚部材＞
図５の足枕の脚部材１ｃ，２ｃは、横方向に延びる１本の横棒部５と、この横棒部５の両端から上方に平行に延びる２本の縦棒部６ｃをそれぞれ有する。この図５の足枕の脚部材１ｃ，２ｃは、２本の縦棒部６ｃの長さが図１の足枕の脚部材１ｃ，２ｃの縦棒部６の長さよりも大きい。
【００５３】
＜支持部材＞
支持部材４ｃは、梁部材３から垂下される一対の吊り具１９と、この吊り具に両端が保持され、ユーザーの足が載置される座体１２ｃとを有する。
【００５４】
（吊り具）
吊り具１９は、梁部材３に対して任意の方向に揺動可能であり、かつ下端部に座体１２ｃが取り付けられる。この吊り具１９は、剛性を有する部材であってもよく、例えば紐、チェーン等の可撓性を有する部材であってもよい。
【００５５】
当該足枕において、吊り具１９は、梁部材３に取り付けられる取付体２０に上端が保持されている。但し、本実施形態の構成は一例であって、吊り具１９の梁部材３に対する取り付け方法は特に限定されない。
【００５６】
（座体）
当該足枕の座体１２ｃは、横方向両端部に上方に突出し、吊り具１９が係合する突部２１を有する。これにより、重力によって座体１２ｃの姿勢を定めることができる。
【００５７】
＜利点＞
当該足枕は、座体１２ｃが梁部材３の下方に配置されるため、梁部材３をより高い位置に配置するよう設計される。これにより、掛布団をより高く持ち上げて足の周囲の空気を換気する効果や布団を乾燥させる効果を向上することができる。
【００５８】
また、当該足枕は、吊り具１９が任意の方向に揺動可能であるため、座体１２ｃを横方向だけでなく前後方向にも移動することができる。このため、座体１２ｃがユーザーの足のより複雑な動きに追従し、快適性を向上する。
【００５９】
［第五実施形態］
図６に、本考案のまた別の実施形態の足枕を示す。当該足枕は、一対の脚部材（第１脚部材１ｄ及び第２脚部材２ｄ）と、一対の脚部材１ｄ，２ｄの上端を横方向の軸周りに揺動可能に保持する梁部材３ｄと、この梁部材３ｄに横方向に移動可能に取り付けられた支持部材４ｄとを備える。
【００６０】
＜脚部材＞
第１脚部材１ｄ及び第２脚部材２ｄは、梁部材３ｄによって同軸に保持されている。このため、第１脚部材１ｄは、第２脚部材２ｄよりも僅かに小さく、揺動により第２脚部材２ｄの内側に配置することができるようになっている。
【００６１】
脚部材１ｄ，２ｄは、横方向に延びる１本の横棒部５ｄと、この横棒部５ｄの両端に横方向の軸を中心に揺動可能に一端が接続された２本の縦棒部６ｄとをそれぞれ有する。
【００６２】
（横棒部）
横棒部５ｄは、概略帯状に形成され、両端が上方に突出する突出部２２とされており、この突出部２２に縦棒部６ｄが前後方向に揺動可能に接続される。
【００６３】
（縦棒部）
第１脚部材１ｄの縦棒部６ｄと第２脚部材２ｄの縦棒部６ｄとは、横方向に重ねて、梁部材３ｄの端部に例えばピン、ボルト等によって同軸かつ前後方向に揺動可能に取り付けられる。
【００６４】
＜梁部材＞
梁部材３ｄは、脚部材１ｄ，２ｄの２本の縦棒部６ｄの上端間に横方向に延び、一対の脚部材１ｄ，２ｄを横棒部５ｄに平行な軸周りに揺動可能に保持する。このような梁部材３ｄは、例えば棒材の両端面に脚部材１ｄ，２ｄの縦棒部６ｄを枢支するためのボルトを取り付けるねじ穴等を形成したものとすることができる。
【００６５】
＜支持部材＞
支持部材４ｄは、梁部材３ｄの外側に摺動可能に装着される摺動体１１ｄと、この摺動体１１ｄに取り付けられ、ユーザーの足が載置される座体１２とを有する構成とすることができる。
【００６６】
（摺動体）
摺動体１１ｄは、梁部材３ｄに沿う横方向の移動及び前後方向の回動を円滑に行うことができるよう、梁部材３ｄに適合する内径を有する円筒状に形成することができる。
【００６７】
＜利点＞
当該足枕は、横棒部５ｄが帯状に形成されるため、横棒部５ｄをマットレス等の下に配置した状態で、支持部材４ｄに足を載せず梁部材３ｄの下に足を挿し込んだ場合に横棒部５ｄの存在を感じさせにくい。
【００６８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６９】
本考案に係る足枕において、支持部材は、横方向に移動可能であればよく、前後方向に回動不能なものであってもよい。また、支持部材は、座体を有せず、摺動体に直接足を載せるよう構成されてもよい。
【００７０】
本考案に係る足枕は、一対の脚部材の角度を固定する機構を備えてもよい。具体例としては、縦棒部の中間部間の距離を金具や紐等により固定できるよう構成してもよい。
【産業上の利用可能性】
【００７１】
本考案に係る足枕は、布団を上げ下ろししないベッドや万年床に特に好適に用いることができる。
【符号の説明】
【００７２】
１，１ａ，１ｃ，１ｄ，２，２ａ，２ｃ，２ｄ  脚部材
３，３ｂ，３ｄ  梁部材
４，４ｃ，４ｄ  支持部材
５，５ａ，５ｄ  横棒部
６，６ｃ，６ｄ  縦棒部
７，７ａ  軸部
８  保持穴
９  パイプ
１０，１０ｂ  固定体
１１，１１ｄ  摺動体
１２，１２ｃ  座体
１３  長パイプ
１４  短パイプ
１５  接続軸
１６  補助枠
１７  側部
１８  接続部
１９  吊り具
２０  取付体
２１  突部
２２  突出部
【図１】
0003219001.tif 000003
【図２】
0003219001.tif 000004
【図３】
0003219001.tif 000005
【図４】
0003219001.tif 000006
【図５】
0003219001.tif 000007
【図６】
0003219001.tif 000008